(57)【特許請求の範囲】
【請求項１】
透光体を支持してなる枠体を、光源を装着するソケットを固定してなる照明器具本体に嵌着し、同枠体を開閉自在に支持する照明器具において、樹脂で構成してなる枠体の内周部に弾性を有する複数の透光体支持片を構成し、同透光体支持片は枠体の壁面との間に弾力性調整用の空孔を構成し、さらに同透光体支持片の先端に鉤状突起を有して構成し、各透光体支持片の鉤状突起と枠体との間に透光体を嵌着して構成したことを特徴とする照明器具。
【請求項２】
枠体を角型に構成し、同角型枠体の直線状の内周部に弾性を有する複数の透光体支持片を構成し、同透光体支持片は角型枠体の壁面との間に、弾力性調整用の空孔を構成し、さらに同透光体支持片の先端に鉤状突起を有して構成し、各透光体支持片の鉤状突起と枠体との間に透光体を嵌着して構成したことを特徴とする請求項１記載の照明器具。
【請求項３】
枠体を環状に構成し、同環状枠体の円弧状の内周部に弾性を有する複数の透光体支持片を構成し、同透光体支持片は環状枠体の壁面との間に、弾力性調整用の空孔を構成し、さらに同透光体支持片の先端に鉤状突起を有して構成し、各透光体支持片の鉤状突起と枠体との間に透光体を嵌着して構成したことを特徴とする請求項１記載の照明器具。
【発明の詳細な説明】
【０００１】
【発明の属する技術分野】
本発明は照明器具の改良に関する。
【０００２】
【従来の技術】
従来、光源を装着するソケットを固定してなる照明器具本体に、透光体を支持しなる枠体を開閉自在に支持するには、例えば図７に示すように、例えば樹脂で構成してなる枠体１の内周部に、先端に掛止爪２を有する支持片３構成し、また同支持片３に近接して位置決ガイド４を形成し、同複数の掛止爪２と掛止爪２の間に、アクリル板またはルーバ等の透光体５を嵌着して構成してある。
【０００３】
【発明が解決しようとする課題】
しかし、上記した構造の照明器具によると、透光体を嵌着するときに、掛止爪が折れ易く、また枠体を１．５ｍｍ程度に構成し、掛止爪部の肉厚を例えば３ｍｍ程度に厚くすると成形後、同部に歪みが生じ、いわゆる肉引けが発生する欠点がある。
また従来一般に広く行なわれているように、枠体にビスで透光体を固定する構造によると、部品数が多く、また組立てに手数を要する欠点がある。
【０００４】
本発明は上記の点に鑑み発明したものであって、透光体を枠体に容易に支持することができ、また複数の透光体支持片を枠体と同程度の肉厚に構成しても強度を保つことができ、さらに枠体に肉引けが発生することがなく、さらに部品数を少なく構成することができる照明器具を提供することを目的とする。
【０００５】
【課題を解決するための手段】
請求項１に記載の本発明は、透光体を支持してなる枠体を、光源を装着するソケットを固定してなる照明器具本体に嵌着し、同枠体を開閉自在に支持する照明器具に関する。また樹脂で構成してなる枠体の内周部に弾性を有する複数の透光体支持片を構成して構成してある。同透光体支持片は枠体の壁面との間に、弾力性調整用の空孔を構成し、さらに同透光体支持片の先端に鉤状突起を有して構成し、各透光体支持片の鉤状突起と枠体との間に透光体を嵌着して構成してある。
【０００６】
請求項２に記載の本発明は、請求項１における枠体を角型に構成し、同角型枠体の直線状の内周部に弾性を有する複数の透光体支持片を構成してある。さらに同透光体支持片は角型枠体の壁面との間に、弾力性調整用の空孔を構成し、さらに同透光体支持片の先端に鉤状突起を有して構成し、各透光体支持片の鉤状突起と枠体との間に透光体を嵌着して構成してある。
【０００７】
請求項３に記載の発明は、請求項１における枠体を環状に構成し、同環状枠体の円弧状の内周部に弾性を有する複数の透光体支持片を構成してある。さらに同透光体支持片は環状枠体の壁面との間に、弾力性調整用の空孔を構成し、さらに同透光体支持片の先端に鉤状突起を有して構成し、各透光体支持片の鉤状突起と枠体との間に透光体を嵌着して構成してある。
【０００９】
【発明の実施の形態】
以下本発明を図１乃至図６について説明する。図１及び図２において、１１は角型に構成してなる照明器具本体、１２は照明器具本体１１嵌着してなる枠体であって、例えば１．５ｍｍ程度の厚みを有して角型に構成してある。また同枠体１２は若干柔軟性を有する樹脂で角型に構成してある。１３は角型の枠体１２に支持してなる角型の透光体であって、例えば図１に示すようにアクリル板を設ける構造あるいは図６に示すようにルーバを設ける構造何れでもよい。１４は照明器具本体に固定してなるソケットに装着してなる光源であって、例えば３６ワットのコンパクト蛍光ランプを用いて構成してある。なお照明器具本体１１を環状に構成し、同照明器具本体１１に円形の枠体を支持し、さらに同枠体に透光体を嵌着してもよい。
【００１０】
図３は照明器具本体１１に嵌着する枠体１２を角型に構成してある。図３において、１６は角型の枠体１２の内周部に２００ｍｍ程度の間隔で複数構成してなる透光体支持片であって、若干弾性を有して構成し、また同透光体支持片１６と枠体１２の壁面との間に、弾力性調整用の空孔１７を有して構成してある。また同透光体支持片１６の先端には掛止用の鉤状突起１８を有して構成してある。１９は枠体１２の複数の掛止用の鉤状突起１８の間に嵌着してなる透光体であって、例えばアクリル板あるいはルーバである。
【００１１】
図４は照明器具本体と、照明器具本体に嵌着する枠体１２を環状に構成してある。図４において、環状の枠体１２の円弧状の内周近傍に複数の透光体支持片１６を弾性を有して構成し、さらに透光体支持片１６と環状の枠体１２の壁面との間に、弾力性調整用の空孔１７を有して構成し、透光体支持片１６の先端には掛止用の鉤状突起１８を有して構成してある。１９は枠体１２の複数の掛止用の鉤状突起１８の間に嵌着してなる透光体である。
【００１２】
また図５に示す照明器具は、樹脂で構成してなる枠体１２の内周近傍に複数の透光体鉤状片１６を弾性を有して構成し、さらに透光体鉤状突片１６と枠体１２の壁面との間に、弾力性調整用の空孔１７を構成し、各透光体支持片１６と透光体支持片１６の間に透光体１３を嵌着して構成してある。
【００１３】
次に図３及び図４に示した構造における枠体への透光体の着脱について説明する。
▲１▼照明器具本体１１に開閉自在に構成してなる枠体１２の複数の透光体支持片１６の間に透光体１３を押圧していくと、透光体支持片１６が柔軟性を有するので若干移動し、透光体１３は、透光体支持片１６の複数の突起１８と枠体の壁面との間に嵌着される。
▲２▼さらに透光体１３を取外すときは、透光体支持片１６の突起１８を後方にずらすことにより、簡単に取り外すことができる。
【００１４】
また、図５に示す構造によると、樹脂で構成してなる枠体１２の内周近傍に複数の透光体支持片１６と透光体支持片１６の間に透光体１３を押圧することにより、簡単に透光体１３を支持することができる。
【００１５】
【発明の効果】
上記した請求項１乃至請求項３に記載の発明によると、透光体を枠体に容易に支持することができ、また複数の透光体支持片を枠体と同程度の肉厚に構成しても強度を保つことができ、また枠体に肉引けが発生することがなく、さらに従来の構造に比較し、部品数を少なく構成することができる特別な効果がある。
【図面の簡単な説明】
【図１】本発明に係る照明器具の外観を示す斜視図。
【図２】図１に示す照明器具の底面図。
【図３】図１の枠体の透光体支持片と透光体の関係を示す一部拡大斜視図。
【図４】枠体と透光体支持片と透光体の関係を示す他の実施例の一部拡大斜視図。
【図５】枠体と透光体支持片と透光体の関係を示す他の実施例の一部拡大斜視図。
【図６】本発明に係る他の照明器具の外観を示す斜視図。
【図７】従来の照明器具の枠体と透光体の関係を示す一部拡大斜視図。
【符号の説明】
１１  照明器具本体
１２  枠体
１３  透光体
１４  光源
１６  透光体支持片
１７  空孔
１８  鉤状突起
１９  透光体
【図１】
0004117422.tif 000002
【図２】
0004117422.tif 000003
【図３】
0004117422.tif 000004
【図４】
0004117422.tif 000005
【図５】
0004117422.tif 000006
【図６】
0004117422.tif 000007
【図７】
0004117422.tif 000008